【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
第１の記憶装置を有する第１のサーバと、第２の記憶装置を有する第２のサーバとが接続される情報処理システムにおいて、前記第２の記憶装置の記憶する登録情報を更新する情報処理方法であって、
前記第１のサーバが、前記第１のサーバから前記第２のサーバへのアクセスである第１のアクセスが可能か否か判定する第１の判定ステップと、
前記第１のサーバが、前記第１のステップにおいて前記第１のアクセスが可能と判定した場合に、前記第２のサーバに、前記登録情報を含む情報更新要求を送信する第一の更新指示ステップと、
前記第２のサーバが、前記第１のサーバから前記情報更新要求を受信した場合に、前記情報更新要求に含まれる前記登録情報を、前記第２の記憶装置に記憶させる更新ステップと、を有すること、
を特徴とする情報処理方法。
【請求項２】
請求項１に記載の情報処理方法であって、
前記第１の判定ステップにおいて前記第１のアクセスが不可と判定した場合に、前記第１のサーバが、前記第１の判定ステップにおける判定から所定の時間経過後、前記第１のアクセスが可能と判定されるまでの間、前記第１のアクセスが可能か否かの判定を行なう第２の判定ステップと、
前記第２の判定ステップにおいて前記第１のアクセスが可能と判定された場合に、前記第１のサーバが、前記第２のサーバに、前記登録情報を含む情報更新要求を出力する第二の更新指示ステップと、をさらに有すること、
を特徴とする情報処理方法。
【請求項３】
第１の記憶装置を有する第１のサーバと、第２の記憶装置を有する第２のサーバと、第３の記憶装置を有する第３のサーバとが接続される情報処理システムにおいて、前記第２の記憶装置の記憶する登録情報を更新する情報処理方法であって、
前記第１のサーバが、前記第１のサーバから前記第２のサーバへのアクセスである第１のアクセスが可能か否か判定する第１の判定ステップと、
前記第１の判定ステップにおいて前記第１のアクセスが不可と判定した場合に、前記第１のサーバが、前記第３のサーバに、前記登録情報を含む更新指示情報を送信する登録指示ステップと、
前記更新指示情報を前記第２のサーバから受信した前記第３のサーバが、前記第３のサーバから前記第２のサーバへのアクセスである第２のアクセスが可能か否か判定する第２の判定ステップと、
前記第２の判定ステップにおいて前記第２のアクセスが可能と判定した場合に、前記第３のサーバが、前記第２のサーバに、前記更新指示情報に含まれる前記登録情報を含む情報更新要求を送信する第１の更新指示ステップと、
前記第２のサーバが、前記第３のサーバから前記情報更新要求を受信した場合に、前記情報更新要求に含まれる前記登録情報を、前記第２の記憶装置に記憶させる更新ステップと、を有すること、
を特徴とする情報処理方法。
【請求項４】
請求項３記載の情報処理方法であって、
前記第２の判定ステップにおいて前記第２のアクセスが不可と判定した場合に、前記第３のサーバが、前記第２の判定ステップにおける判定から所定の時間経過後、前記第２のアクセスが可能と判定されるまでの間、前記第２のアクセスが可能か否かの判定を行なう第３の判定ステップと、
前記第３の判定ステップにおいて前記第２のアクセスが可能と判定された場合、前記第３のサーバが、前記第２のサーバに、前記登録情報を含む情報更新要求を出力する第２の更新指示ステップと、をさらに有すること、
を特徴とする情報処理方法。
【請求項５】
請求項４に記載の情報処理方法であって、
前記登録指示ステップにおいて、
更新前の登録情報である旧登録情報と、前記旧登録情報と置き換える対象である登録情報である新登録情報とを含む前記更新指示情報を出力し、
前記第２の更新指示ステップにおいて、
前記更新指示情報に含まれる前記新登録情報と前記旧登録情報とを含む情報更新要求を出力すること、
を特徴とする情報処理方法。
【請求項６】
請求項５に記載の情報処理方法であって、
前記第２のサーバが、前記情報更新要求を受信した場合に、前記情報更新要求に含まれる前記旧登録情報と、前記第２の記憶装置に記憶されている登録情報とが一致するか否か判定する整合性判定ステップ、をさらに有し、
前記整合性判定ステップにおいて前記一致しない場合に、
前記第２のサーバが、前記第２の記憶装置に記憶されている登録情報と、前記情報更新要求に含まれる前記新登録情報とを出力装置に出力し、前記出力装置に出力された登録情報のうちいずれか一方から選択された登録情報を、前記第２の記憶装置に記憶させ、前記選択された登録情報を含む情報更新要求を、前記第１のサーバに送信し、
前記第１のサーバが、前記第２のサーバから送信された前記情報更新要求を受信すると、前記情報更新要求に含まれる登録情報を、前記第１の記憶装置に記憶させる、こと、
を特徴とする情報処理方法。
【請求項７】
請求項４に記載の情報処理方法であって、
前記第１の記憶装置および前記第２の記憶装置の各々は、登録情報の更新状況を示す更新識別子をさらに記憶していること、
を特徴とする情報処理方法。
【請求項８】
請求項７に記載の情報処理方法であって、
前記第１のサーバが、前記登録指示ステップで、前記登録情報及び前記登録情報の更新識別子を含む更新指示情報を送信し、
前記第３のサーバが、前記第２の更新指示ステップで、前記更新指示情報に含まれる前記登録情報及び前記更新識別子を含む情報更新要求を送信し、
前記第２のサーバが、前記情報更新要求に含まれる前記登録情報の更新識別子と、前記第２の記憶装置に記憶されている登録情報の更新識別子とを比較する、比較ステップと、
前記第２のサーバが、前記比較の結果、前記第２の記憶装置に記憶されている更新識別子のほうが新しいものを示している場合、前記第１のサーバに、前記第２の記憶装置に記憶されている登録情報及び更新識別子を含む情報更新要求を送信する指示ステップと、をさらに有し、
前記第１のサーバは、
前記第２のサーバから送信された情報更新要求を受信すると、前記情報更新要求に含まれる登録情報を、登録情報として前記第１の記憶装置に記憶させること、
を特徴とする情報処理方法。
【請求項９】
第１の記憶装置を有する第１のサーバと、第２の記憶装置を有する第２のサーバとが接続され、前記第２の記憶装置の記憶する登録情報を更新する情報処理システムであって、
前記第１のサーバが、
前記第１のサーバから前記第２のサーバへのアクセスである第１のアクセスが可能か否か判定する判定部と、
前記判定の結果、前記第１のアクセスが可能な場合、前記第２のサーバに、前記登録情報を含む情報更新要求を送信する出力部と、を有し、
前記第２のサーバが、
前記情報更新要求を受信した場合、前記情報更新要求に含まれる前記登録情報を、前記第２の記憶装置に記憶させる更新部、を有すること、
を特徴とする情報処理システム。
【請求項１０】
第１の記憶装置を有する第１のサーバと、第２の記憶装置を有する第２のサーバと、第３の記憶装置を有する第３のサーバとが接続され、前記第２の記憶装置の記憶する登録情報を更新する情報処理システムであって、
前記第１のサーバが、
前記第１のサーバから前記第２のサーバへのアクセスである第１のアクセスが可能か否か判定する判定部と、
前記判定の結果、前記第１のアクセスが不可の場合、前記第３のサーバに、前記登録情報を含む更新指示情報を送信する登録指示部と、を有し、
前記第３のサーバが、
前記第３のサーバから前記第２のサーバへのアクセスである第２のアクセスが可能か否か判定する判定部と、
前記判定の結果、前記第２のアクセスが可能な場合、前記第２のサーバに、前記更新指示情報に含まれる前記登録情報を含む更新要求を出力する更新指示部と、を有し、
前記第２のサーバが、
前記情報更新要求を受信した場合、前記情報更新要求に含まれる前記登録情報を、前記第２の記憶装置に記憶させる更新部、を有すること、
を特徴とする情報処理システム。
【手続補正２】
【補正対象書類名】明細書
【補正対象項目名】発明の名称
【補正方法】変更
【補正の内容】
【発明の名称】情報処理方法及び情報処理システム
【手続補正３】
【補正対象書類名】明細書
【補正対象項目名】００２３
【補正方法】変更
【補正の内容】
【００２３】
第１の記憶装置を有する第１のサーバと、第２の記憶装置を有する第２のサーバとが接続される情報処理システムにおいて、前記第２の記憶装置の記憶する登録情報を更新する情報処理方法であって、前記第１のサーバが、前記第１のサーバから前記第２のサーバへのアクセスである第１のアクセスが可能か否か判定する第１の判定ステップと、前記第１のサーバが、前記第１のステップにおいて前記第１のアクセスが可能と判定した場合に、前記第２のサーバに、前記登録情報を含む情報更新要求を送信する第一の更新指示ステップと、前記第２のサーバが、前記第１のサーバから前記情報更新要求を受信した場合に、前記情報更新要求に含まれる前記登録情報を、前記第２の記憶装置に記憶させる更新ステップと、を有すること、を特徴とする。
【手続補正４】
【補正対象書類名】明細書
【補正対象項目名】００２４
【補正方法】変更
【補正の内容】
【００２４】
第１の記憶装置を有する第１のサーバと、第２の記憶装置を有する第２のサーバと、第３の記憶装置を有する第３のサーバとが接続される情報処理システムにおいて、前記第２の記憶装置の記憶する登録情報を更新する情報処理方法であって、前記第１のサーバが、前記第１のサーバから前記第２のサーバへのアクセスである第１のアクセスが可能か否か判定する第１の判定ステップと、前記第１の判定ステップにおいて前記第１のアクセスが不可と判定した場合に、前記第１のサーバが、前記第３のサーバに、前記登録情報を含む更新指示情報を送信する登録指示ステップと、前記更新指示情報を前記第２のサーバから受信した前記第３のサーバが、前記第３のサーバから前記第２のサーバへのアクセスである第２のアクセスが可能か否か判定する第２の判定ステップと、前記第２の判定ステップにおいて前記第２のアクセスが可能と判定した場合に、前記第３のサーバが、前記第２のサーバに、前記更新指示情報に含まれる前記登録情報を含む情報更新要求を送信する第１の更新指示ステップと、前記第２のサーバが、前記第３のサーバから前記情報更新要求を受信した場合に、前記情報更新要求に含まれる前記登録情報を、前記第２の記憶装置に記憶させる更新ステップと、を有すること、を特徴とする。